(57)【要約】【課題】葺足の変化に伴う勾配屋根の外壁に対する突き当たり部の上下方向の位置の変化に関わらず、雨押板金の上端レベルを一定に保持する。【解決手段】長尺板状の笠木９と、長尺状に形成され幅方向の一端に壁面に固定される壁固定片２１ａが形成されると共に他端に屋根材の上方に配置されて該屋根材を覆う覆い片２１ｄが形成され且つ前記壁固定片２１ａと覆い片２１ｄの中間所定位置に笠木９に固定される笠木固定片２１ｃが形成された雨押板金２１とを有し、笠木９を勾配屋根４の外壁１への突き当たり部よりも上部に横方向に且つ外壁１に対して回動可能に取り付け、壁固定片２１ａを笠木９よりも上部に配置して外壁１に固定すると共に覆い片２１ｄを勾配屋根４に配置された瓦３の上方に配置して笠木９に固定する。【選択図】              図１
2004285562.tif 000002
【特許請求の範囲】
【請求項１】
壁面に勾配屋根の頂部が水平に突き当たる勾配屋根の構造であって、長尺板状の笠木と、長尺状に形成され幅方向の一端に壁面に固定される壁固定片が形成されると共に他端に屋根材の上方に配置されて該屋根材を覆う覆い片が形成され且つ前記壁固定片と覆い片の中間所定位置に笠木に固定される笠木固定片が形成された雨押板金とを有し、前記笠木を勾配屋根の壁面への突き当たり部よりも上部の壁面所定位置に横方向に該壁面に対して回動可能に取り付け、前記雨押板金の幅方向の一端に形成された壁固定片を前記笠木よりも上部に配置して壁面に固定すると共に他端に形成された覆い片を勾配屋根に配置された屋根材の上方に配置して前記笠木固定片を笠木に固定したことを特徴とする壁当たり勾配屋根構造。
【発明の詳細な説明】
【０００１】
【発明の属する技術分野】
本発明は、下屋や付庇等の勾配屋根の頂部が外壁に対し水平に突き当たる部位に採用して有利な壁当たり勾配屋根構造に関するものである。
【０００２】
【従来の技術】
住宅では、下屋や付庇或いはペントハウス等のように勾配屋根が構成されることが多い。このような勾配屋根の外壁に対する突き当たり部では、長尺状の水切材が横方向に配置され、該水切材の幅方向の一端が外壁に固定されると共に、他端が屋根材の上面と接触するように配置されることが多い（例えば特許文献１参照）。このような場合、たいていは水切材は外壁に対し、幅方向の一端のみで固定され、他端が屋根材の上部を覆うことで、雨水が外壁と屋根材との間に浸透することを防止している。
【０００３】
また勾配屋根を葺く屋根材としては各種のものが選択的に採用されるが、セメント系平板瓦や三州粘土瓦等の比較的厚い瓦を葺くこともある。このような瓦葺きの構造を図６により説明する。
【０００４】
図６に示すように、野地板５１の上部に瓦５２が葺かれており、外壁５６との突き当たり部位にはのし瓦５３が配置されて仕上げられている。こののし瓦５３の上部に笠木５４が配置されて皿木ねじ５５によってのし瓦５３を介して下方の野地板５１に固定されている。外壁５６には勾配屋根の頂部から所定距離離隔した位置に水平方向の溝５７が形成されている。溝５７とのし瓦５３，笠木５４の上方には雨押板金５８が配置されており、該雨押板金５８の幅方向の一端側が溝５７に固定されると共に他端がのし瓦５３の上部に配置された状態を保持している。
【０００５】
上記構成に於いて、瓦５２の葺足が変わったり、軒の出寸法が変わることで瓦５２の最上部に配置される壁当たり部の大きさが変わることがある。これに伴って外壁５７との突き当たり部位に配置されたのし瓦５３の上下方向の位置が変化することとなり、のし瓦５３の上方に取り付ける雨押板金５８ｂを一定の位置で固定することが困難になる。そして、雨押板金５８ａの幅方向の端部を無理してのし瓦５３の上部に押し当てて固定しようとすると、雨押板金５８の取付レベルに不陸が生じることがあり、雨押板金５８ａ，５８ｂが平行にならずに外観上の問題が生じることがある。
【０００６】
瓦５２び不陸等によりのし瓦５３が上下に動くために、雨押板金５８を固定部材５８ａと調整部材５８ｂとに分割して構成し、固定部材５８ａを外壁５６に形成した溝５７を利用して固定すると共に、調整部材５８ｂをのし瓦５３の上面に沿って配置し、互いの合わせ具合を調整することで吸収する方法が採用されている。
【０００７】
【特許文献１】
実開平０７−１１２９号公報（実願平０４−３４２１４号）
【０００８】
【発明が解決しようとする課題】
勾配屋根をセメント系平板瓦や三州粘土瓦等の比較的厚い瓦葺きする上記技術に於いて、雨押板金を固定する際に、該雨押板金の上端レベルをのし瓦の上面の位置に合わせて変化させる場合、雨押板金の上端の基準（例えば溝）を形成する際の施工順序が勾配屋根に瓦を葺いた後に規定されてしまい、各部位毎に高さが変わった場合、納まりがつかず、施工が困難で且つ工期がかかるという問題がある。また二部材からなる雨押板金を用いて互いの合わせ具合を調整する方法であっても、仕上がり精度を保証し難く、施工が困難であり工期もかかるという問題が生じている。
【０００９】
また雨押板金が一定位置で固定されないため、勾配屋根が出隅部や入隅部と交叉する位置では、のし瓦のある水平に設置される雨押板金とのし瓦のない屋根の勾配に沿って設置される雨押板金の高さが違ってしまい、雨押板金の仕上がり高さを常に一定に保持することが出来なくなって、現場毎の合わせが必要となることから手間がかかるという問題も生じる。特に、のし瓦の有無によって雨押板金の下方に大きな隙間が形成されたり、瓦の段差が形成されるという問題も生じる。
【００１０】
本発明の目的は、葺足の変化や軒先の出寸法の違いに伴う勾配屋根の外壁に対する突き当たり部の上下方向の位置の変化に関わらず、雨押板金の上端レベルを一定に保持することが出来、且つ屋根材の上面を覆って雨水の浸透を防止することが出来る壁当たり勾配屋根構造を提供することにある。
【００１１】
【課題を解決するための手段】
上記課題を解決するために本発明に係る壁当たり勾配屋根構造は、壁面に勾配屋根の頂部が水平に突き当たる勾配屋根の構造であって、長尺板状の笠木と、長尺状に形成され幅方向の一端に壁面に固定される壁固定片が形成されると共に他端に屋根材の上方に配置されて該屋根材を覆う覆い片が形成され且つ前記壁固定片と覆い片の中間所定位置に笠木に固定される笠木固定片が形成された雨押板金とを有し、前記笠木を勾配屋根の壁面への突き当たり部よりも上部の壁面所定位置に横方向に該壁面に対して回動可能に取り付け、前記雨押板金の幅方向の一端に形成された壁固定片を前記笠木よりも上部に配置して壁面に固定すると共に他端に形成された覆い片を勾配屋根に配置された屋根材の上方に配置して前記笠木固定片を笠木に固定したものである。
【００１２】
上記壁当たり勾配屋根構造（以下、単に「勾配屋根構造」という）では、笠木を壁面の所定位置に横方向に配置して回動可能に取り付け、且つ雨押板金の一方側の端部に形成された壁固定片を壁面に固定して他方側の端部を壁固定片の固定部を支点として、壁面に対し自由な角度を取れるようにしておき、雨押板金の他方側の端部を外壁面に突き当たる部分の瓦の上面に接近させ、この状態を保持して雨押板金の笠木固定片を笠木に固定することで、外壁と笠木と雨押板金とによる三角形が形成される。このため、雨押板金は壁固定片と笠木固定片とによって固定された姿勢を維持することとなり、瓦の上面を覆って雨水の浸透を防止することが出来る。
【００１３】
本発明の勾配屋根構造では、葺き足の変化に伴って、或いは許容された施工誤差の発生に伴って、外壁に突き当たる部位の瓦の上面の位置が変化したとき、雨押板金の外壁面に対する角度を変化させることによって前記変化を吸収することが出来る。即ち、笠木の突出端部の外壁からの距離を決めることで、雨押板金の覆い片の大凡の高さを決めることが出来、且つ覆い片がバネ性を有するため、屋根材に当接したときに先端が上下することで該覆い片の微調整が行える。
【００１４】
このため、雨押板金の外壁面に対する取付位置を一定に保持することが可能となり、該雨押板金の取付レベルに不陸が発生することがなく、美観を損なうことがない。
【００１５】
【発明の実施の形態】
以下、本発明に係る勾配屋根構造の好ましい実施形態について説明する。本発明に於いて勾配屋根自体の構造は特に限定するものではなく、下屋や付庇、北側斜線或いはペントハウスのような勾配屋根であって、頂部が外壁面に突き当たる部位であれば適用することが可能である。特に、二方向の外壁面が交叉する出隅部や入隅部であると好ましく適用することが可能である。
【００１６】
本発明を適用する建物の構造は特に限定するものではなく、木造住宅や鉄骨造の住宅であって良い。従って、外壁面を構成する材も同様に、特に限定するものではなく、木造モルタル塗りの外壁面，軽量気泡コンクリートパネル（ＡＬＣパネル）の外壁面或いは他の材を利用した外壁面に適用することが可能である。
【００１７】
本発明に於いて、屋根材としては特に限定するものではない。しかし、葺き足の違いに基づく外壁面との突き当たり部に於ける高さの位置の変化は、セメント系平板瓦や三州粘土瓦等の比較的厚さのある瓦に多く発生することから、このような屋根材を対象とすることが好ましい。
【００１８】
笠木は、長尺板状の部材からなり、外壁面に直接或いは桟木を介して横方向に取り付けられ、且つ横方向を回転軸として回動可能に取り付けられている。この笠木の回動は作業員が手で回動させようとして力を付与したとき、この力に応じて外壁面に対する傾斜角度を変更し得る程度で良い。即ち、笠木の回動範囲は大きいもの（大きい角度）である必要はなく、且つ小さな力で容易に回動する必要もない。従って、回動方向に付与された力に応じて首を振るように動く程度であって良い。
【００１９】
上記の如き笠木の壁面に対する取付構造としては、例えば壁面に固定した桟木の角部に笠木を当接させると共に釘で桟木の角部に取り付けるような構造がある。この場合、笠木は壁面に対する傾斜角度を変化させるように釘を支点として回動することが可能である。そして、笠木の回動範囲は釘によって拘束され、大きな角度になることはない。
【００２０】
また桟木に対しヒンジを介して取り付けても、或いは外壁面に対しヒンジを介して取り付けても、笠木を回動可能に構成することが可能であり、本発明ではこのような構造であっても採用することが可能である。更に、笠木の桟木と接触する部位に溝を形成しておき、該溝を桟木の角部に係合させても、笠木を回動可能な構造とすることが可能であり、このような構造であっても採用することが可能である。
【００２１】
雨押板金は、外壁面に固定される壁固定片と、笠木に固定される笠木固定片と、屋根材の上面を覆う覆い片と、を有しており、壁固定片と笠木固定片との間に予め設定された長さの水切面が形成されている。また覆い片は笠木固定片の延長線に対し鋭角を持って形成され、且つ笠木と屋根材との間隙を覆うのに充分な長さを持って形成される。
【００２２】
雨押板金の壁固定片や水切面，笠木固定片，覆い片の寸法は一義的に設定されるものではなく、屋根材の厚さや勾配屋根の傾斜面の長さ等の条件に応じて適宜設定される。但し、覆い片の寸法（笠木固定片から覆い片の自由端までの距離）は、従来の水切材に於ける同様の機能を有する片の寸法よりも充分に大きいことが好ましい。
【００２３】
雨押板金は、上記の如き各部位を有する長尺状の部材であれば良く、合成樹脂やアルミニウム板或いは銅板等の成形品を利用することが可能であり、カラー鉄板や亜鉛メッキ鋼板或いは錫メッキ鋼板等の鋼板を板金加工して形成することも可能である。雨押板金としては、前記各材料の中から住宅の意匠性等を考慮して適宜選択することが好ましい。
【００２４】
次に上記勾配屋根構造の好ましい実施例について図を用いて説明する。図１は本実施例に係る勾配屋根構造を構成する手順を説明する図である。図２は平行壁際に適用した第１実施例を説明する斜視図である。図３は平行壁際に適用した第２実施例を説明する斜視図である。図４は出隅部の構成を説明する図である。図５は入隅部の構成を説明する図である。
【００２５】
先ず、図１により本実施例に係る勾配屋根構造を構成する手順について説明する。同図（ａ）に示すように、外壁１に野地板やルーフィング等からなる下地２が突き当たっており、該下地２に瓦３が葺き込まれて勾配屋根４を構成している。勾配屋根４の上方であって、下地２から所定距離離隔した位置に該勾配屋根４に沿って横方向に桟木７が配置されると共に釘或いはビス等の固定具８によって外壁１に固定されている。
【００２６】
同図（ｂ）に示すように、桟木７の上部角部７ａに対し、長尺板状に形成された笠木９の下面が当接して斜めに配置されており、この姿勢を保持して表面側から桟木７の上部角部７ａに向かって幅方向に１本の釘１０によって取り付けられている。前記釘１０は、笠木８の長さ方向に向かって約１０ｃｍ〜２０ｃｍのピッチで打ち込まれており、この構成により、笠木９と桟木７とは、桟木７の上部角部７ａと笠木９の平面とによる線接触状態で保持されることとなり、この接触部を回転軸として図に示す矢印方向（図に於ける時計方向，反時計方向）に回動することが可能である。
【００２７】
笠木９の回動は桟木７との接触部である上部角部７ａを回転軸として行われる。即ち、横方向に配置された笠木９は、笠木９と外壁１とのなす角度が変化するような回動を行い、この回動に伴って、自由端９ａが勾配屋根４の瓦３に対し離隔，接近する。従って、笠木９を回動させることで、自由端９ａの瓦３の上面からの距離を調整することが可能となる。
【００２８】
上記の如くして笠木９が桟木７に回動可能に取り付けられているが、笠木９を回動させるには小さな力で簡単に回動するものではなく、作業員がある程度大きい力を付与することで回動させることが可能である。従って、桟木７に取り付けられている笠木９は、通常の状態では取付姿勢を保持している。
【００２９】
桟木７の寸法は特に限定するものではないが、本実施例では、幅寸法（図に於ける上下方向の寸法）が約７５ｍｍ、厚さ寸法（図に於ける左右方向の寸法）が約５０ｍｍ〜７５ｍｍ、程度で長尺状の木製棒状の材を用いている。
【００３０】
また笠木９は、幅寸法は後述する雨押板金２１の寸法に応じて適宜設定されるものの、厚さが約１５ｍｍ程度の長尺の木製の板を用いている。このような笠木９を桟木７に取り付ける釘１０は長さが約２０ｍｍで太さが約３ｍｍ程度のものを用いている。このような釘１０を用いることによって、笠木９を回動させる際に大きな力を必要とせず、比較的容易に作業を進行させることが可能である。
【００３１】
同図（ｃ）に示すように、雨押板金２１は長尺状に形成され、勾配屋根４の上方に配置されて該勾配屋根４の外壁１に対する突き当たり部を覆うと共に、瓦３の上部を覆って雨水の浸透を防止する機能を有し、且つ葺き足の違いにより発生する勾配屋根４の外壁１に対する突き当たり部に於ける瓦３の高さ方向の位置の変化を吸収する機能を有するものである。
【００３２】
このため、本実施例の雨押板金２１は、外壁１に固定される壁固定片２１ａと、壁固定片２１ａに連続して該壁固定片２１ａに対して傾斜した角度を持ち且つ予め設定された寸法を持って形成された水切面２１ｂと、水切面２１ｂに対して略直角に形成され笠木９の自由端９ａ側の端面に固定される笠木固定片２１ｃと、笠木固定片２１ｃと連続して形成され該笠木固定片２１ｃの延長線に対して鋭角に形成された覆い片２１ｄとを有して構成されている。
【００３３】
雨押板金２１は、笠木９の上方に配置され壁固定片２１ａが外壁１に於ける予め設定された固定レベルに固定される。このとき、外壁１に予め横方向の溝１１を形成しておくと共に壁固定片２１ａの自由端側を直角に折り曲げた挿入片２１ｅを形成しておき、この挿入片２１ｅを溝１１に挿入した状態で壁固定片２１ａを外壁１に釘やビス等の固定具１２によって固定することが好ましい。このように、予め外壁１に溝１１を形成しておくことで、雨押板金２１を外壁１に固定する際の取付ガイドとして機能させることが可能となり、雨押板金２１を直線を保持して外壁１に固定することが可能となる。
【００３４】
笠木９の自由端９ａの下面と瓦３の上面との間に形成された間隙には水密材１３が配置されている。この水密材１３の材質は特に限定するものではなく、通常、水密材として利用しているものを使用することが可能である。
【００３５】
水密材１３の寸法は、同図（ｃ）に示すように、最上部に配置された瓦３が略外壁１に突き当たるような場合と、同図（ｄ）に示すように、葺き足の違いにより最上部に配置された瓦３の更に外壁１側に半割瓦５を配置した場合とでは異なる値となる。従って、予め目的の勾配屋根４の最上部が瓦３で終了するか、半割瓦５で終了するか、に応じて最適な寸法を持った水密材１３を用意しておくことが好ましい。
【００３６】
壁固定片２１ａを外壁１に固定した雨押板金２１は、壁固定片２１ａを除く他の部分はブラブラな状態となる。この状態で、雨押板金２１の笠木固定片２１ｃを笠木９の自由端９ａに当接させ、両者を覆い片２１ｄを瓦３の上面に接近させる方向に力を付与することで、笠木９を時計方向に回動させ、この回動に伴って雨押板金２１の覆い片２１ｄを瓦３の方向に回動させることが可能である。
【００３７】
そして、同図（ｃ）に示すように覆い片２１ｄの先端が瓦３に最も接近した位置で、或いは同図（ｄ）に示すように覆い片２１ｄの先端が半割瓦５の上面に対し充分に接触した位置で、夫々笠木固定片２１ｃの表面側から笠木９の自由端９ａ側の端面に向けて釘やビス等の固定具１４を打ち込むことで、雨押板金２１を瓦３，半割瓦５の上部に配置すると共にこれらの瓦３，５の上部を覆って固定することが可能である。
【００３８】
即ち、桟木７に取り付けられた笠木９と、壁固定片２１ａが外壁１に固定されると共に笠木固定片２１ｃが笠木に固定された雨押板金２１と、外壁１とによって三角形が構成される。このように構成された三角形では、笠木９は雨押板金２１の剛性によって拘束され回動が阻止される。従って、雨押板金２１は安定下姿勢を保持して瓦３，半割瓦５の上部に配置され、この状態で笠木９と瓦３，半割瓦５との間に形成された間隙を覆うことが可能である。
【００３９】
上記の如く、雨押板金２１の外壁１に対する取付位置が固定されていても、該雨押板金２１は壁固定片２１ａを起点としてバネ性を持った片持ち梁状に作用する。このため、葺き足の違いに起因して勾配屋根４の外壁１に対する突き当たり部の高さ方向の位置に違いが生じた場合であっても、この違いを吸収して壁固定片２１ａの外壁１に対する取付レベルを一定に保持することが可能となる。
【００４０】
更に、雨押板金２１を構成する覆い片２１ｄは、同図（ｃ）に示すように瓦３の上面に直接接触することなく、或いは同図（ｄ）に示すように半割瓦５の上面に直接接触して笠木９と瓦３，半割瓦５との間隙を覆うことが可能となる。特に、覆い片２１ｄが半割瓦５の上面に接触する場合、この接触に伴って覆い片２１ｄの先端が半割瓦５の表面に沿って屈折し、安定した状態で笠木９と半割瓦５との間隙を覆うことが可能である。
【００４１】
尚、雨押板金２１の挿入片２１ｅを挿入した溝１１にはシーリング材を充填して防水施工を行う。
【００４２】
図２は勾配屋根４の外壁１に対する突き当たり部が横方向となる平行壁際を構成する第１実施例を説明する図であり、図１（ｃ）を具体的に示すものである。従って、図に於ける図１と同一の部分及び同一の機能を有する部分には同一の符号を付している（以下同じ）。尚、図に於いて１６は受け桟であり、勾配屋根４の下地２と外壁１に形成された溝１１との間の壁面を覆うように設けられている。
【００４３】
本実施例では、図１（ｃ）に示すように、雨押板金２１の覆い片２１ｄは瓦３の上面に直接接触することはなく、従って、瓦３の上面の位置に多少の違いが生じても大きな影響を受けることなく、壁固定片２１ａの外壁１に対する取付レベルを一定に保持することが可能である。このため、雨押板金２１に不陸が生じることがかいため、外観の美観を損なうことがない。
【００４４】
図３は勾配屋根４の外壁１に対する突き当たり部が横方向となる平行壁際を構成する第２実施例を説明する図であり、図１（ｄ）を具体的に示すものである。従って、図に於ける図１と同一の部分及び同一の機能を有する部分には同一の符号を付している。尚、図に於いて、１７は桟木であり、半割瓦５の外壁１側の端部を支持し得るように配置され、半割瓦５と共に図示しない釘やビス等の固定具によって下地２に固定されている。
【００４５】
本実施例では、図１（ｄ）に示すように、雨押板金２１の覆い片２１ｄの先端が半割瓦５の表面に接触する。このとき、半割瓦５の上面に不陸が生じているような場合であっても、この不陸を雨押板金２１の撓みによって吸収することが可能となり、壁固定片２１ａに影響を与えることがなく、外観の美観を損なうことがない。
【００４６】
図４は二方向の外壁１が交叉する出隅部に於ける勾配屋根構造を説明する図である。出隅部では、勾配屋根４は一方の外壁１に対し平行壁際として構成され、他方の外壁１に対し傾斜して接続される。しかし、何れの方向の外壁１に対しても、図１と同様の構造が適用される。
【００４７】
図４（ａ）に示すように、出隅部を構成する二方向の外壁１に夫々笠木９が配置されると共に釘１０によって笠木９の下側に配置された桟木に回動可能に取り付けられている。笠木９の自由端９ａの下側と瓦３との間には水密材１３が設けられており、両者の間に雨水等が浸透することのないように構成されている。
【００４８】
また同図（ｂ）に示すように、笠木９の上部に雨押板金２１が配置され、図１と同様にして壁固定片２１ａが外壁１に固定されると共に笠木固定片２１ｃが笠木９の自由端９ａ側の端面に固定されている。このとき、勾配屋根４が傾斜した状態で接触する外壁１側に配置された雨押板金２１の覆い片２１ｄは、平行窓際側の雨押板金２１の覆い片２１ｄの角度と一致するように折り曲げられる。
【００４９】
従って、出隅部に於ける二方向の雨押板金２１が交叉する部位でも、互いの位置がズレることがなく、良好に重ね合わされる。このとき、二方向に配置された雨押板金２１の覆い片２１ｄは瓦３の上面に接近した位置を保持し、不陸が生じることがなく、美観を損なうことがない。特に、従来のし瓦を用いていた部位にのし瓦がなくなるため、平行壁際に対応する雨押板金２１の覆い片２１ｄと、該方向と交叉する方向の雨押板金２１の追い片２１ｄとの間に大きな間隙が形成されることがない。
【００５０】
図５は入隅部のに於ける勾配屋根構造を説明する図である。入隅部であっても勾配屋根４は、一方の外壁１に対し平行壁際として構成されると共に他方の外壁１に対して傾斜して接続される。
【００５１】
同図（ａ）に示すように、入隅部を構成する二方向の外壁１に夫々笠木９が配置されると共に釘１０によって桟木７に対し回動可能に取り付けられている。笠木９の自由端９ａの下側と瓦３との間には水密材１３が設けられており、両者の間に雨水等が浸透することのないように構成されている。
【００５２】
また同図（ｂ）に示すように、笠木９の上部に雨押板金２１が配置され、図１と同様にして壁固定片２１ａが外壁１に固定されると共に笠木固定片２１ｃが笠木９の自由端９ａ側の端面に固定されている。このとき、勾配屋根４が傾斜した状態で接触する外壁１側に配置された雨押板金２１の覆い片２１ｄは、平行窓際側の雨押板金２１の覆い片２１ｄの角度と一致するように折り曲げられて重ね合わせられる。
【００５３】
従って、入隅部に於ける二方向の雨押板金２１が交叉する部位でも、互いの位置がズレることがなく、良好に重ね合わされる。このとき、二方向に配置された雨押板金２１の覆い片２１ｄは瓦３の上面に接近した位置を保持し、不陸が生じることがなく、美観を損なうことがない。また従来のし瓦を用いていた部位にのし瓦がなくなるため、平行壁際に対応する雨押板金２１の覆い片２１ｄと、該方向と交叉する方向の雨押板金２１の追い片２１ｄとの間に大きな間隙が形成されることがない。
【００５４】
【発明の効果】
以上詳細に説明したように本発明に係る勾配屋根構造では、従来ののし瓦を必要としていないため、材料の節約が可能となる。またのし瓦を必要としないことにより該のし瓦の加工に伴う廃材が発生しない。このため、材料の節約、廃材が発生しないことによる処理費用の低減、等コストを低減することが出来る。
【００５５】
また葺き足の違いによる瓦の高さ方向の違いを、雨押板金の外壁に対する傾斜角度の変更により吸収することが出来る。このため、雨押板金を１枚の部材によって構成することが可能となり、材料を節約してコストの低減をはかることが出来、且つ施工性を向上させて工期の短縮化をはかることが出来る。
【００５６】
のし瓦を用いないことによって、出隅部や入隅部に於ける二方向の外壁が交叉する部位で境目の隙間が形成されることがない。このため、仕上げ調整が容易となり、工期の短縮化をはかることが出来る。また瓦面の段差が生じることがなく、且つ瓦の加工が簡略化することが出来、工期の短縮化をはかることが出来る。
【００５７】
雨押板金の壁固定片の外壁に対する固定レベルを常に一定に保持することが出来る。このため、施工の簡略化をはかることが可能となり、仕上げ精度を向上させることが出来る。特に、雨押板金を構成する覆い片が上下に動くことが出来るため、笠木の取付位置を確定した後で、瓦の種類の変更や厚さの変更、屋根勾配寸法にも対応することが出来る。
【図面の簡単な説明】
【図１】本実施例に係る勾配屋根構造を構成する手順を説明する図である。
【図２】平行壁際に適用した第１実施例を説明する斜視図である。
【図３】平行壁際に適用した第２実施例を説明する斜視図である。
【図４】出隅部の構成を説明する図である。
【図５】入隅部の構成を説明する図である。
【図６】従来の構造を説明する図である。
【符号の説明】
１                      外壁
２                      下地
３                      瓦
４                      勾配屋根
５                      半割瓦
７                      桟木
７ａ                    上部角部
８，１２                  固定具
９                      笠木
９ａ                    自由端
１０                      釘
１１                      溝
１３                      水密材
１４                      固定具
１６                      受け桟
１７                      桟木
２１                      雨押板金
２１ａ                    壁固定片
２１ｂ                    水切面
２１ｃ                    笠木固定片
２１ｄ                    覆い片
２１ｅ                    挿入片
【図１】
2004285562.tif 000003
【図２】
2004285562.tif 000004
【図３】
2004285562.tif 000005
【図４】
2004285562.tif 000006
【図５】
2004285562.tif 000007
【図６】
2004285562.tif 000008